(57)【要約】【課題】  バッテリ交換が容易で、本体とバッテリが外れ難く、しかも、無線機の小型化を実現できる携帯無線機を提供する。【解決手段】  バッテリ３を本体２の背面に備える構造で、ベルトクリップ８をバッテリ３の上部の本体２に取り付け、当該取り付け部分を起点にベルトクリップ８が可動し、更に、当該バッテリ８の脱落を防止する機構として、ベルトクリップ８が上下方向に可動して持ち上がる構造であり、バッテリ３が本体２の底面を中心に回転して引き出される構造である携帯無線機である。【選択図】        図１
2020053755.tif 000002
【特許請求の範囲】
【請求項１】
バッテリを本体の背面に備える携帯無線機であって、
ベルト装着用のベルトクリップが、前記バッテリの上部の前記本体に取り付けられ、当該取り付け部分を起点に回転可能に可動し、
前記バッテリの脱落を防止する機構を備えたことを特徴とする携帯無線機。
【請求項２】
ベルトクリップは、本体の背面から突出して回転する構造であり、
バッテリは、本体の底面を中心に回転して引き出される構造であることを特徴とする請求項１記載の携帯無線機。
【請求項３】
ベルトクリップは、本体の背面から突出して回転する構造であり、
バッテリは、本体の下方向に引き出される構造であり、
前記ベルトクリップには、前記バッテリ側に向けて凸形状の凸部が形成され、
前記バッテリには、前記凸部に対応する凹形状の凹部が形成されていることを特徴とする請求項１記載の携帯無線機。
【請求項４】
ベルトクリップは、本体への取り付け部を中心に前記本体の背面の面内で回転してスライドする構造であり、
バッテリは、本体の下方向に引き出される構造であり、
前記ベルトクリップには、前記バッテリ側に向けて凸形状の凸部が形成され、
前記バッテリには、前記凸部が回転してスライドするのに合わせて凹形状の凹部の溝が弧状に形成されていることを特徴とする請求項１記載の携帯無線機。
【発明の詳細な説明】
【技術分野】
【０００１】
本発明は、携帯無線機に係り、特に、バッテリ交換が容易で、本体からバッテリが外れ難く小型化できる携帯無線機に関する。
【背景技術】
【０００２】
［従来の技術］
従来の業務用の携帯無線機は、持ち運び利便性を向上させるために、腰ベルトに装着できるベルトクリップを無線機バッテリパック背面に取り付ける構造がある。
また、工具を使わずにバッテリ交換を容易にできるように、無線機においてバッテリノブのロックを手動で可動させる構造としている。
【０００３】
しかしながら、携帯無線機が落下・衝撃を受けるとバッテリが外れやすく、運用に支障をきたす場合があり、また、装着部分が破損して使用できなくなる場合がある。
無線機本体にバッテリを固定する構造は、以下に示す２つの方式（第１の従来の無線機と第２の従来の無線機）がある。
【０００４】
［第１の従来の無線機：図６〜９］
第１の従来の無線機について図６〜９を参照しながら説明する。図６は、第１の従来の無線機の正面と側面の説明図であり、図７は、第１の従来の無線機のバッテリ交換時の側面説明図であり、図８は、ベルトクリップをバッテリに固定した場合の側面説明図であり、図９は、ベルトクリップを本体に固定した場合の側面説明図である。
【０００５】
第１の従来の無線機は、図６（ａ）の正面説明図に示すように、正面にスピーカと表示部を備え、上面にアンテナを備えている。図６（ａ）の上部の丸がスピーカであり、中央の四角が表示部である。
更に、無線機１の本体２の背面にはバッテリ３が取り付けられるようになっている。
つまり、無線機１からバッテリ３を取り除いたのが本体２である。
【０００６】
第１の従来の無線機におけるバッテリ３は、図６（ｂ）に示すように、下側に凸形状の引掛部５を備え、本体２の底面の凹部にその引掛部５が挿入されることで、バッテリ３が本体２に固定されるものである。
【０００７】
また、図７に示すように、バッテリ３を本体２から取り出す場合は、図７に示すように、バッテリ３の上部のバッテリノブ４を操作してバッテリ３を背面側に引っ張って、バッテリ３の収納部の内側の天面に設けられた引掛部６からバッテリ３を外すと、バッテリ３が本体２の底面を中心に回転して取り出せるようになっている。
図６，７の無線機のタイプを、「背面側引き出し式」又は「背面側引き出しタイプ」と称することにする。
【０００８】
背面側引き出しタイプで、バッテリ３にベルトクリップ８を固定したものが図８である。
図８に示すように、ベルトクリップ８をバッテリ３に固定するにはバッテリノブ４の下側に設けるしかないので、ベルトクリップ８の縦方向の長さは、ベルト固定に必要な長さを確保すると、本体２の底面近くまで到達することになる。
【０００９】
そうなると、バッテリ３の下側に設けられた充電端子７にベルトクリップ８が覆い被さり、充電ができなくなる。充電を可能にするには、バッテリ３を下側に伸ばすことになるので、無線機の小型化を阻害することになる。
更に、図８では、バッテリノブ４だけでバッテリ３が本体２に固定される構造であるので、本体２からバッテリ３が外れやすく、バッテリ３のみがベルト側に残り、本体２を紛失するおそれがあった。
【００１０】
背面側引き出しタイプで、バッテリ３の上部の本体２にベルトクリップ８を固定したものが図９である。
図９に示すように、充電端子７の周囲にスペースができるので、充電は可能になり、無線機の小型化も図ることができるが、ベルトクリップ８が邪魔になり、ベルトクリップ８を取り外さなければバッテリ３の交換が容易にできないものとなっていた。
尚、ベルトクリップ８において、バッテリ３側の部材がプレート１０であり、実際には、プレート１０がバッテリ３又は本体２に固定される。
【００１１】
［第２の従来の無線機：図１０，１１］
第２の従来の無線機について図１０，１１を参照しながら説明する。図１０は、第２の従来の無線機でベルトクリップをバッテリに固定した場合の側面説明図であり、図１１は、第２の従来の無線機でベルトクリップを本体に固定した場合の側面説明図である。
【００１２】
第２の従来の無線機は、バッテリ３の収納部の内側に縦方向のバッテリレールが設けられており、バッテリノブ４を操作し、バッテリ３を下方向にスライドさせてバッテリ３を取り外し、また、取り外したバッテリ３をバッテリレールに沿って上方向にスライドさせてバッテリノブ４で固定することでバッテリ３を装着するものである。
第２の従来の無線機のタイプを「底面側スライド式」又は「底面側スライドタイプ」と称する。
【００１３】
底面側スライドタイプで、ベルトクリップ８をバッテリ３に固定したのが図１０である。
図１０でも、図８と同様に、充電端子７のスペースを確保するため、無線機の小型化を阻害しており、また、本体２からバッテリ３が外れやすく、バッテリ３のみがベルト側に残り、本体２を紛失するおそれがあった。
【００１４】
底面側スライドタイプで、ベルトクリップ８を本体２に固定したのが図１１である。
図１１では、バッテリ３の交換は容易になるものの、バッテリ３が本体２から外れやすく、本体２がベルト側に残って、バッテリ３のみを紛失するおそれがあった。
【００１５】
［関連技術］
尚、関連する先行技術として、特開２００７−０１９７８３号公報「携帯無線機」（特許文献１）がある。
特許文献１には、携帯無線機において、ベルトに固定するためのクリップをアンテナと共締めすることで、薄型化し、専用のマント及び取り付け工具を必要としないことが示されている。
【先行技術文献】
【特許文献】
【００１６】
【特許文献１】特開２００７−０１９７８３号公報
【発明の概要】
【発明が解決しようとする課題】
【００１７】
しかしながら、従来の携帯無線機では、バッテリ交換が容易で、本体とバッテリが外れ難く、しかも、無線機の小型化を同時に実現するものとはなっていないという問題点があった。
【００１８】
具体的には、運用中に無線機が衝撃を受けたり、無線機が何かに引っ掛かった場合に、無線機本体とバッテリが外れやすく、外れた場合に、本体又はバッテリを紛失するおそれがあった。
また、ベルトに固定するためのベルトクリップは、必要最低限の長さが必要であり、取り付ける位置によっては、無線機の小型化を阻害するものであった。
更に、バッテリ交換が非常に困難な構造があり、運用面で支障をきたすものとなっていた。
【００１９】
本発明は上記実情に鑑みて為されたもので、バッテリ交換が容易で、本体とバッテリが外れ難く、しかも、無線機の小型化を実現できる携帯無線機を提供することを目的とする。
【課題を解決するための手段】
【００２０】
上記従来例の問題点を解決するための本発明は、バッテリを本体の背面に備える携帯無線機であって、ベルト装着用のベルトクリップが、バッテリの上部の本体に取り付けられ、当該取り付け部分を起点に回転可能に可動し、バッテリの脱落を防止する機構を備えたことを特徴とする。
【００２１】
本発明は、上記携帯無線機において、ベルトクリップが、本体の背面から突出して回転する構造で、バッテリが、本体の底面を中心に回転して引き出される構造であることを特徴とする。
【００２２】
本発明は、上記携帯無線機において、ベルトクリップが、本体の背面から突出して回転する構造で、バッテリが、本体の下方向に引き出される構造であり、ベルトクリップには、バッテリ側に向けて凸形状の凸部が形成され、バッテリには、凸部に対応する凹形状の凹部が形成されていることを特徴とする。
【００２３】
本発明は、上記携帯無線機において、ベルトクリップが、本体への取り付け部を中心に本体の背面の面内で回転してスライドする構造で、バッテリが、本体の下方向に引き出される構造であり、ベルトクリップには、バッテリ側に向けて凸形状の凸部が形成され、バッテリには、凸部が回転してスライドするのに合わせて凹形状の凹部の溝が弧状に形成されていることを特徴とする。
【発明の効果】
【００２４】
本発明によれば、バッテリを本体の背面に備え、ベルト装着用のベルトクリップが、バッテリの上部の本体に取り付けられ、当該取り付け部分を起点に回転可能に可動し、バッテリの脱落を防止する機構を備えた携帯無線機としているので、バッテリ交換が容易で、本体とバッテリとが分離し難く、無線機を小型化できる効果がある。
【図面の簡単な説明】
【００２５】
【図１】本無線機の運用時の側面説明図である。
【図２】本無線機のバッテリ交換時の側面説明図である。
【図３】本無線機の第１の応用例のベルトクリップ固定時の側面説明図である。
【図４】本無線機の第１の応用例のベルトクリップ回転時の側面説明図である。
【図５】本無線機の第２の応用例の側面及び背面説明図である。
【図６】第１の従来の無線機の正面と側面の説明図である。
【図７】第１の従来の無線機のバッテリ交換時の側面説明図である。
【図８】ベルトクリップをバッテリに固定した場合の側面説明図である。
【図９】ベルトクリップを本体に固定した場合の側面説明図である。
【図１０】第２の従来の無線機でベルトクリップをバッテリに固定した場合の側面説明図である。
【図１１】第２の従来の無線機でベルトクリップを本体に固定した場合の側面説明図である。
【発明を実施するための形態】
【００２６】
本発明の実施の形態について図面を参照しながら説明する。
［実施の形態の概要］
本発明の実施の形態に係る携帯無線機（本無線機）は、バッテリを本体の背面に備える構造で、ベルトクリップがバッテリ上部の本体に回転可能に取り付けられ、当該取り付け部分を起点にベルトクリップが可動し、更に、当該バッテリの脱落を防止する機構を備えたものであり、これにより、ベルトクリップを取り外さなくてもバッテリを容易に交換でき、本体とバッテリとが分離し難く、無線機の小型化を実現できるものである。
【００２７】
また、本無線機は、上記基本構成において、ベルトクリップが本体の背面から突出して回転する構造で、バッテリが本体の底面を中心に回転して引き出される構造であり、バッテリ交換が容易で本体とバッテリが分離し難く、小型化を実現できるものである。
【００２８】
また、本無線機は、上記基本構成において、ベルトクリップが本体の背面から突出して回転する構造で、バッテリが本体の下方向に引き出される構造であり、ベルトクリップにはバッテリ側に向けて凸形状の凸部が形成され、バッテリには凸部に対応する凹形状の凹部が形成されているものであり、バッテリ交換が容易で本体とバッテリが分離し難く、小型化を実現できるものである。
【００２９】
また、本無線機は、上記基本構成において、ベルトクリップが本体への取り付け部を中心に本体の背面の面内で回転してスライドする構造で、バッテリが本体の下方向に引き出される構造であり、ベルトクリップにはバッテリ側に向けて凸形状の凸部が形成され、バッテリには凸部が回転してスライドするのに合わせて凹形状の凹部の溝が弧状に形成されているものであり、バッテリ交換が容易で本体とバッテリが分離し難く、小型化を実現できるものである。
【００３０】
［本無線機：図１，２］
次に、本無線機について図１、図２を参照しながら説明する。図１は、本無線機の運用時の側面説明図であり、図２は、本無線機のバッテリ交換時の側面説明図である。
本無線機は、図１に示すように、運用時には、無線機１の本体２の背面にバッテリ３が装着され、本体２の底面の凹部に引掛部５が挿入されて固定され、本体２の底面を中心に回転して取り出される背面引き出しタイプである。
【００３１】
本無線機の特徴部分としては、プレート１１が、本体２の背面上端に固定されており、ベルトクリップ８のプレート１０がヒンジ１３を介してプレート１１に接続している。
そして、図２のバッテリ交換時に示すように、プレート１０は、ヒンジ１３を中心に本体２の背面から突出するように回転し、それに応じてベルトクリップ８が上下に回転移動する。プレート１０は、バネ駆動で跳ね上げられる構成となっている。
【００３２】
プレート１０に設けられた引掛部１４が本体２に押し込まれた状態で、プレート１０がバッテリ３の側面に沿って固定される。
そして、クリップレバー１２の一部が、引掛部１２に引っ掛かることでプレート１０がロックされ、クリップレバー１２を指で動かすことで、ロックが解除されてプレート１０が跳ね上がり、ベルトクリップ８が持ち上がる。
【００３３】
図１の運用時では、ベルトクリップ８のプレート１０がバッテリ３を覆って固定される構造となっているので、バッテリ３が取り外し方向に外れるのを防止しており、図２のバッテリ交換時には、ベルトクリップ８が持ち上がるので、バッテリ３を引き出して容易に交換することができる。
【００３４】
また、ベルトクリップ８が本体２の背面上部でプレート１１にヒンジ１３を介して接続しているので、バッテリ３の下側の充電端子７の周囲のスペースを確保でき、充電が可能となり、ベルトに固定するためのベルトクリップ８の長さも確保でき、無線機１の小型化が可能となる。
【００３５】
本無線機では、バッテリ３の縦方向の長さを短くしてバッテリ３を小型化し、無線機１の全体を小型化できる。この場合、ベルトクリップ８がバッテリ３の充電端子７に覆い被さっても、ベルトクリップ８を持ち上げれば、充電端子７で充電できるものとなる。
【００３６】
［本無線機の第１の応用例：図３，４］
次に、本無線機の第１の応用例（第１の応用例）について図３、図４を参照しながら説明する。図３は、本無線機の第１の応用例のベルトクリップ固定時の側面説明図であり、図４は、本無線機の第１の応用例のベルトクリップ回転時の側面説明図である。
第１の応用例と図１，２の無線機との相違は、バッテリ３が本体２の底面下側にスライドして引き出される底面側スライドタイプである点である。
【００３７】
そして、第１の応用例の特徴として、ベルトクリップ８のプレート１０に凸形状の凸部１６が形成されており、それに対応するバッテリ３の位置に凸部１６がはめ込まれる凹形状の凹部１５が形成されている。
【００３８】
第１の応用例では、通常の運用時では、ベルトクリップ８のプレート１０の凸部１６がバッテリ３の凹部１５に嵌合しているので、バッテリ３が下方向にスライドして脱落することがなく、バッテリ交換時には、ベルトクリップ８が持ち上げられて凹部１５から凸部１６が外れるので、バッテリ３を下方向にスライドさせて取り外すことができ、バッテリ３の交換が容易となる。
【００３９】
また、第１の応用例でも、ベルトクリップ８が本体２の背面上部でプレート１１にヒンジ１３を介して接続しているので、ベルトクリップ８の長さを確保しても、バッテリ３の下側の充電端子７の周囲のスペースを確保でき、充電が可能となり、無線機１の小型化が実現できる。
【００４０】
［本無線機の第２の応用例：図５］
次に、本無線機の第２の応用例（第２の応用例）について図５を参照しながら説明する。図５は、本無線機の第２の応用例の側面及び背面説明図である。
図５における（ａ）は、第２の応用例の通常運用時の側面説明図であり、（ｂ）は、第２の応用例の通常運用時の背面説明図であり、（ｃ）は、第２の応用例のバッテリ交換時の背面説明図である。
第２の応用例も、バッテリ３が本体２の底面下側にスライドして引き出される底面側スライドタイプである。
【００４１】
第２の応用例の特徴部分は、本体２の背面上部にベルトクリップ８のプレート１０を留める回転ヒンジ１７を設け、その回転ヒンジ１７を中心にベルトクリップ８のプレート１０が本体２の背面の平面内で円を描くように回転するようになっている。第２の応用例では、回転の可動範囲が３６０°回転可能である。尚、可動範囲は、少なくとも９０°以上あれば、バッテリ３を取り出すことが可能となる。
プレート１０が回転移動することにより、プレート１０に伴ってベルトクリップ８も回転移動する。
【００４２】
また、プレート１０には凸形状の凸部１６が形成されており、その凸部１６が回転移動できるように、バッテリ３には凹形状の凹部１５の溝が弧状に形成されている。尚、凸部１６は、凹部１５の溝をはみ出して回転移動するものである。
プレート１０が約９０°以上回転すると、バッテリノブ４が操作可能となり、バッテリ３をスライドさせて取り外して容易に交換できる。
【００４３】
［実施の形態の効果］
本無線機によれば、バッテリ３を本体２の背面に備える構造で、ベルトクリップ８をバッテリ３の上部の本体２に取り付け、当該取り付け部分を起点にベルトクリップ８が可動し、更に、当該バッテリ８の脱落を防止する機構を備えたものであり、これにより、バッテリ３の交換が容易で、本体２とバッテリ３とが分離し難く、無線機２の小型化を実現できる効果がある。
【産業上の利用可能性】
【００４４】
本発明は、バッテリ交換が容易で、本体とバッテリが外れ難く、しかも、無線機の小型化を実現できる携帯無線機に好適である。
【符号の説明】
【００４５】
１…無線機、  ２…本体、  ３…バッテリ、  ４…バッテリノブ、  ５…引掛部、  ６…引掛部、  ７…充電端子、  ８…ベルトクリップ、  １０…プレート、  １１…プレート、  １２…クリップレバー、  １３…ヒンジ、  １４…引掛部、  １５…凹部、  １６…凸部、  １７…回転ヒンジ
【図１】
2020053755.tif 000003
【図２】
2020053755.tif 000004
【図３】
2020053755.tif 000005
【図４】
2020053755.tif 000006
【図５】
2020053755.tif 000007
【図６】
2020053755.tif 000008
【図７】
2020053755.tif 000009
【図８】
2020053755.tif 000010
【図９】
2020053755.tif 000011
【図１０】
2020053755.tif 000012
【図１１】
2020053755.tif 000013